(57)【要約】【課題】回転子コイル断面重心が磁極鉄心のチップ部より食み出した場合でも電気的特性や冷却特性を損なうことなく、回転子コイルに有害な変形や素線の変形脱出を防止する支持方式を有する回転電機を提供すること。【解決手段】磁極鉄心４に回転子コイル６を装着した複数個の磁極３が回転子継鉄２の外周部に固定支持された回転子を有する回転電機において、上記回転子コイル６の外端面に当接する磁極鉄心チップ部４ａに、回転子コイル断面重心よりも外側方に突出する幅広チップ部１７を磁極３の軸方向に複数箇設け、上記幅広チップ部１７により上記回転子コイル６の遠心力を支持するようにした。【選択図】図１
2007159256.tif 000002
【特許請求の範囲】
【請求項１】
磁極鉄心に回転子コイルを装着した複数個の磁極が回転子継鉄の外周部に固定支持された回転子を有する回転電機において、上記回転子コイルの外端面に当接する磁極鉄心チップ部に、回転子コイル断面重心よりも外側方に突出する幅広チップ部を磁極の軸方向に複数箇設け、上記幅広チップ部により上記回転子コイルの遠心力を支持するようにしたことを特徴とする回転電機。
【請求項２】
磁極鉄心に回転子コイルを装着した複数個の磁極が回転子継鉄の外周部に固定支持された回転子を有する回転電機において、上記回転子コイルの外端面と磁極鉄心チップ部との間に介装された剛性の高い絶縁カラーを、磁極鉄心に固定し、上記絶縁カラーにより上記回転子コイルの遠心力を支持するようにしたことを特徴とする回転電機。
【請求項３】
磁極鉄心に回転子コイルを装着した複数個の磁極が回転子継鉄の外周部に固定支持された回転子を有する回転電機において、上記磁極鉄心の回転子継鉄側の幅を狭くするとともに、その回転子継鉄側の幅が狭くなった磁極鉄心に対応して回転子コイルの内面側を磁極鉄心側に延ばし、回転子コイル断面重心の位置が磁極鉄心チップ部先端よりも磁極鉄心側に位置するようにし、上記磁極鉄心チップ部により上記回転子コイルの遠心力を支持するようにしたことを特徴とする回転電機。
【請求項４】
上記回転子継鉄側の幅が狭くなった磁極鉄心に対応して回転子コイルの幅を広くしたことを特徴とする、請求項３記載の回転電機。
【請求項５】
磁極鉄心に回転子コイルを装着した複数個の磁極が回転子継鉄の外周部に固定支持された回転子を有する回転電機において、隣接する磁極同士の磁極鉄心チップ部に掛け渡されたブリッジを、磁極の軸方向に複数箇所設け、上記ブリッジにより回転子コイルの遠心力を支持するようにしたことを特徴とする回転電機。
【請求項６】
上記ブリッジはボルトにより回転子継鉄に連結されていることを特徴とする、請求項５記載の回転電機。
【請求項７】
磁極鉄心に回転子コイルを装着した複数個の磁極が回転子継鉄の外周部に固定支持された回転子を有する回転電機において、何層にも巻回される回転子コイルの素線を層方向に凹凸部を係合させることにより積層し、回転子コイルの遠心力による素線のずれ力を支持することを特徴とする回転電機。
【請求項８】
磁極鉄心に回転子コイルを装着した複数個の磁極が回転子継鉄の外周部に固定支持された回転子を有する回転電機において、何層にも巻回された回転子コイルの素線を複数の連結棒を貫通挿入し、回転子コイルの遠心力による素線のずれ力を支持するようにしたことを特徴とする回転電機。
【請求項９】
磁極鉄心に回転子コイルを装着した複数個の磁極が回転子継鉄の外周部に固定支持された回転子を有する回転電機において、何層にも巻回された回転子コイルの素線間に突起状の絶縁物を介在させ食込ますことにより、回転子コイルの遠心力による素線のずれ力を支持するようにしたことを特徴とする回転電機。
【請求項１０】
磁極鉄心に回転子コイルを装着した複数個の磁極が回転子継鉄の外周部に固定支持された回転子を有する回転電機において、回転子コイルと回転子継鉄の間に軸方向全長または複数個部分的に楔を挿入し、回転子コイルの遠心力を支持するようにしたことを特徴とする回転電機。
【発明の詳細な説明】
【技術分野】
【０００１】
本発明は、回転電機に係り、特に回転電機における回転子コイルの支持構造に関する。
【背景技術】
【０００２】
図１３は、水力発電設備に使用される回転電機,例えば立軸形水車発電機の回転子の磁極の取付状態を示す図であり、図１４は図１３におけるＡ−Ａ線での磁極の断面構成図を示す図である。図１３において符号１は回転電機の主軸であって、その主軸１に回転子継鉄２が固着されており、その回転子継鉄２に磁極３が取り付けられている。一般的に回転電機の磁極３は、図１４で示すように回転子継鉄２の外周部にそれぞれダブテール溝を介して複数個固定支持されている。上記磁極３は、磁極鉄心４と、素線５を上記磁極鉄心４の回りに複数層卷回した回転子コイル６により構成されている。すなわち、上記回転子コイル６は通常短形型の銅の素線５を細長いドーナッツ状に複数層に巻き回され、互いの素線５の間には層間絶縁シート７を介して加圧接着し一体の固まりとして剛性が確保されており、磁極鉄心４は打ち抜きされた薄板の磁極鋼板を何層にも積層し両端の厚板の端板を介してスタッドやボルト８等で締上げられている。そして、上記磁極鉄心４の周りにドーナッツ状の回転子コイル６を配置し、両者間に対地絶縁９および絶縁カラー１０を施すことで磁極３が構成されている。
【０００３】
ところで、回転電機が回転すると磁極３自身による膨大な遠心力が発生する。遠心力には磁極鉄心４の遠心力と回転子コイル６の遠心力がある。回転子コイル６の遠心力１１には構造上、半径方向分力１２と接線方向分力１３が発生するが、半径方向分力１２は磁極鉄心４から突設されたチップ部４ａで支持され、接線方向分力１３は回転子コイル６自身の剛性、または隣接する回転子コイル間に配置されたコイルブラケットにより支持される。
【０００４】
一般的に回転子コイル６の素線５の材料は電機銅を使用しており一般的な軟鋼鉄に比べ比重が大きく（約１１０％）、機械的強度が低い（約２５％）ため変形し易く、構造物としては自立しにくい。そのため、回転子コイル６は前記したように互いの素線５の間に層間絶縁シート７を介して加圧接着され、一体の固まりとし剛性を高められ成立しているが、遠心力によるコイルに作用する回転モーメントや熱サイクルが引き金となり回転子コイル６の変形が進展し、素線５と層間絶縁シート７との間で剥離が発生すると、１つの固まりとした剛性が無くなり、材料特性上変形し易い素線５が各々変形脱出する大事故に発展する可能性がある。この傾向は磁極の軸方向長さの長い大容量機及び高速回転機がより強い。
【０００５】
これを防止するため、回転子コイル断面重心（図心）１４は磁極鉄心４のチップ部４ａの先端部から幅方向内側へ距離Ｌｉだけ寄せ、回転子コイル断面重心１４がチップ部４ａの先端部から食み出さないようにし、遠心力により回転子コイル６に回転モーメントが発生しないようにしている。しかしながら、磁極鉄心４のチップ部４ａの幅は、回転電機の電気特性により磁極間のピッチの約２／３以内に制限されるため、コイルの幅寸法は自ずと制限されている。
【発明の開示】
【発明が解決しようとする課題】
【０００６】
しかしながら、このような回転子コイル６の支持方式の場合、回転電機の電気特性から磁極鉄心４のチップ部４ａの幅が決定し、回転子コイル６の回転子コイル断面重心（図心）１４の位置が制限されることになり、回転子コイル６の設計自由度が著しく低下する。  一方、近年回転電機の効率評価額が高くなり、高効率の回転電機が望まれるようになってきている。このためには、回転子コイル６の断面積を増やし、銅材料の占める割合を増加させ、電流を流した時の損失を低減する必要がある。しかしながら銅材料を増加させるためには回転子コイル６の素線５の幅を広くしなければならないため、回転子コイル断面重心（図心）１４が磁極鉄心４のチップ部４ａより食み出すことになる。したがって、遠心力により回転子コイル６に回転モーメントが発生し、前述のように、回転子コイル６の変形が進展し、素線５が各々変形脱出する大事故に発展する可能性がある。
【０００７】
本発明は、このような点に鑑み、回転子コイル断面重心（図心）１４が磁極鉄心４のチップ部４ａより食み出した場合でも電気的特性や冷却特性を損なうことなく、回転子コイル６に有害な変形や素線５の変形脱出を防止する支持方式を有する回転電機を提供することを目的とする。
【課題を解決するための手段】
【０００８】
本発明は上記の目的を達成するため，次のような手段により回転電機を構成する。大きく分けると次のようになる。
・ 回転子コイル断面重心（図心）位置が磁極鉄心のチップ部より食み出した場合の回転子コイルを支持する機構を有するもの。
・ 回転子コイル断面重心（図心）位置が磁極鉄心のチップ部より食み出さないように回転子コイル断面重心（図心）を移動させるもの。
・ 回転子コイル断面重心（図心）位置が磁極鉄心のチップ部より食み出した場合でも回転子コイルの素線の間で剥離が起こらない機構を有するもの。
【０００９】
すなわち、本願の第１の発明は、磁極鉄心に回転子コイルを装着した複数個の磁極が回転子継鉄の外周部に固定支持された回転子を有する回転電機において、上記回転子コイルの外端面に当接する磁極鉄心チップ部に、回転子コイル断面重心よりも外側方に突出する幅広チップ部を磁極の軸方向に複数箇設け、上記幅広チップ部により上記回転子コイルの遠心力を支持するようにしたことを特徴とする。
【００１０】
第２の発明は、磁極鉄心に回転子コイルを装着した複数個の磁極が回転子継鉄の外周部に固定支持された回転子を有する回転電機において、上記回転子コイルの外端面と磁極鉄心チップ部との間に介装された剛性の高い絶縁カラーを、磁極鉄心に固定し、上記絶縁カラーにより上記回転子コイルの遠心力を支持するようにしたことを特徴とする。
【００１１】
第３の発明は、磁極鉄心に回転子コイルを装着した複数個の磁極が回転子継鉄の外周部に固定支持された回転子を有する回転電機において、上記磁極鉄心の回転子継鉄側の幅を狭くするとともに、その回転子継鉄側の幅が狭くなった磁極鉄心に対応して回転子コイルの内面側を磁極鉄心側に延ばし、回転子コイル断面重心の位置が磁極鉄心チップ部先端よりも磁極鉄心側に位置するようにし、上記磁極鉄心チップ部により上記回転子コイルの遠心力を支持するようにしたことを特徴とする。
【００１２】
第４の発明は、磁極鉄心に回転子コイルを装着した複数個の磁極が回転子継鉄の外周部に固定支持された回転子を有する回転電機において、隣接する磁極同士の磁極鉄心チップ部に掛け渡されたブリッジを、磁極の軸方向に複数箇所設け、上記ブリッジにより回転子コイルの遠心力を支持するようにしたことを特徴とする。
【００１３】
第５の発明は、磁極鉄心に回転子コイルを装着した複数個の磁極が回転子継鉄の外周部に固定支持された回転子を有する回転電機において、何層にも巻回される回転子コイルの素線を層方向に凹凸部を係合させることにより積層し、回転子コイルの遠心力による素線のずれ力を支持することを特徴とする。
【００１４】
第６の発明は、磁極鉄心に回転子コイルを装着した複数個の磁極が回転子継鉄の外周部に固定支持された回転子を有する回転電機において、何層にも巻回された回転子コイルの素線を複数の連結棒を貫通挿入し、回転子コイルの遠心力による素線のずれ力を支持するようにしたことを特徴とする。
【００１５】
第７の発明は、磁極鉄心に回転子コイルを装着した複数個の磁極が回転子継鉄の外周部に固定支持された回転子を有する回転電機において、何層にも巻回された回転子コイルの素線間に突起状の絶縁物を介在させ食込ますことにより、回転子コイルの遠心力による素線のずれ力を支持するようにしたことを特徴とする。
【００１６】
第８の発明は、磁極鉄心に回転子コイルを装着した複数個の磁極が回転子継鉄の外周部に固定支持された回転子を有する回転電機において、回転子コイルと回転子継鉄の間に軸方向全長または複数個部分的に楔を挿入し、回転子コイルの遠心力を支持するようにしたことを特徴とする。
【発明の効果】
【００１７】
本発明は，回転子コイルの断面積を増やした場合においても、回転子コイルの変形を効果的に防止することができ、電流を流した時の損失を低減し高効率化を図ることができる。
【発明を実施するための最良の形態】
【００１８】
以下図１乃至１２を参照して、本発明の各実施の形態について説明する。図中、図１３，図１４と同一部品には同一符号を付し、その詳細な説明は省略する。
【００１９】
（第１の実施の形態）
図１は、本発明の第１の実施の形態を示す回転子を有する回転電機の要部の断面構成図であり、図２は磁極の正面図である。この第１の実施の形態は、素線５の断面積を増やすために素線５の幅を広くしたものであり、回転子コイル断面重心(図心)１４が磁極鉄心４のチップ部４ａの先端部より距離Ｌｏだけ外方に食み出した形状となっている。そこで、本実施の形態においては、回転子コイル６の外端面に当接する磁極鉄心のチップ部４ａに、回転子コイル断面重心１４よりも外側方に突出する幅広チップ部１７が磁極の軸方向に複数箇設けられている。すなわち、磁極鋼板としては、通常のチップ幅を有するものと、チップ幅広いものとの２種類を用い、これらを軸方向に積層する。
【００２０】
しかして、回転子コイル断面重心１４が磁極鉄心４のチップ部４ａの先端より距離Ｌｏだけ食み出した回転子コイル６には、自身の発生する膨大な遠心力によりチップ部４ａより外れるように回転モーメントが作用するが、本実施の形態においては、幅広チップ部１７が回転子コイル断面重心１４よりも外側方に突出しているので、その幅広チップ部１７により上記回転モーメントに対抗する力が回転子コイル６に加わり、回転子コイル６がチップ部４ａから外れようとする遠心力を支持する。したがって、回転子コイル６の変形が防止され、回転子コイルの素線５間の剥離が防止される。
【００２１】
幅広チップ１７は軸方向に複数箇所設けることにより遠心力の大きさに十分対応させることができ、幅広チップ１７は部分的な配列となるため電気的特性や冷却性能に対し全く問題は無い。また、軸方向の配列は遠心力の大きさにより等配配列や、千鳥配列、不等配配列なども考えられる。なお、千鳥配列する場合は、幅広チップ部１７を有する磁極鋼板を左右非対称に形成する必要がある。
【００２２】
（第２の実施の形態）
図３は、本発明の第２の実施の形態を示す回転子を有する回転電機の要部の断面構成図であり、素線５の断面積を増やすために素線５の幅を広くし、回転子コイル断面重心(図心)１４が磁極鉄心４のチップ部４ａの先端より距離Ｌｏだけ食み出した形状となっている。そこで、磁極鉄心４に絶縁カラー１０と対応する位置に磁極鉄心４の軸線方向に延びる溝１８が形成されており、その溝１８に絶縁カラー１０の内端縁部が嵌めこまれている。
【００２３】
回転子コイル断面重心１４が磁極鉄心４のチップ部４ａより距離Ｌｏだけ食み出した回転子コイル６には、自身の発生する膨大な遠心力によりチップ部４ａより外れるように回転モーメントが作用し、素線間の剥離の原因となるが、磁極鉄心に形成された溝１８に内端縁部が嵌め込まれた剛性の高い絶縁カラー１０により上記回転子コイル６がチップ部４ａから外れようとする遠心力が支持されるため、回転子コイルの変形が防止され回転子コイルの素線５間の剥離が防止される。
【００２４】
剛性の高い絶縁カラー１０はその遠心力の大きさにより、高強度の絶縁板や、鋼板の外周をマイカ等の絶縁体でモールドしたものを使用する。また、剛性の高い絶縁カラー１０は磁極鉄心の溝１８に嵌め込む代わりに、磁極にねじ等で締結することもできる。
【００２５】
（第３の実施の形態）
図４は本発明の第３の実施の形態を表す回転子を有する回転電機の要部の断面構成図であり、回転子コイル６がチップ側回転子コイル６ａと継鉄側回転子コイル６ｂにより構成されている。上記チップ側回転子コイル６ａは素線５の断面積を増やすために素線５の幅を広くし、チップ側回転子コイル６ａの断面重心１４が磁極鉄心４のチップ部４ａの先端より距離Ｌｏだけ食み出している。一方、磁極鉄心４は回転子継鉄２に固定される側の幅を狭くしてあり、その分だけ継鉄側回転子コイル６ｂは幅がより広い素線１９により構成されており、継鉄側回転子コイル６ｂのコイル断面重心２０が、より磁極鉄心４側にあるように構成されている。
【００２６】
そこで、チップ側回転子コイル６ａの断面重心１４は、上述のように磁極鉄心４のチップ部４ａより距離Ｌｏだけ食み出すことになり、自身の発生する膨大な遠心力によりチップ部４より外れるように回転モーメントが回転子コイル６に作用し、素線間の剥離の原因となるが、継鉄側回転子コイル６ｂではその断面重心２０が、より磁極鉄心４側にあるため、上記回転子コイル６に作用する遠心力による回転モーメントに対し反抗する方向の遠心力が生じ、その反抗の遠心力により回転子コイルが外れようとする回転モーメントが打ち消される。よって回転子コイル６の変形が防止され回転子コイルの素線間の剥離が防止される。
【００２７】
チップ側回転子コイル６ａと継鉄側回転子コイル６ｂは製造上一体または分割で構成することが出来る。また、チップ側回転子コイル６ａの素線５と継鉄側回転子コイル６ｂの素線１９の幅は製造上同一としても同じ効果を得ることができる。
【００２８】
図５は、上記第３の実施の形態の変形例であり、磁極鉄心４を回転子継鉄側が細いテーパー型の形状とし、その分だけ回転子コイルの継鉄側の素線幅がより広くした素線により構成されている。
【００２９】
しかして、回転子コイル６の断面形状が継鉄鉄心側に近いほど広くなるため回転子コイル断面重心は磁極鉄心４のチップ部４ａの端部よりも磁極鉄心４側になるため回転子コイル６には、自身の発生する膨大な遠心力による回転モーメントは発生しない。よって回転子コイルの変形が防止され回転子コイルの素線間の剥離は防止される。
【００３０】
（第４の実施の形態）
図６および図７は本発明の第４の実施の形態を表す回転電機の要部の断面構成図であり、素線５の断面積を増やすために素線５の幅を広くし回転子コイル断面重心１４が磁極鉄心４のチップ部４ａより距離Ｌｏだけ食み出した回転子コイル６において、隣接する磁極３同士の磁極鉄心４のチップ部４ａに渡るようにブリッジ２１を、軸方向に複数箇所配置してある。
【００３１】
回転子コイル断面重心１４が磁極鉄心４のチップ部４ａより距離Ｌｏだけ食み出した回転子コイル６には、自身の発生する膨大な遠心力によりチップ部４ａより外れるような回転モーメントが作用し、素線間の剥離の原因となるが、隣接する磁極３同士の磁極鉄心４のチップ部４ａに渡るように設けられたブリッジ２１により、上記遠心力が支持されている回転子コイル６の変形が防止され回転子コイル６の素線間の剥離は防止される。
【００３２】
ブリッジ２１はその遠心力の大きさにより軸方向に複数箇所設けることにより、ブリッジ２１は磁極の軸方向に部分的な配列となり、電気的特性や冷却性能に対し全く問題は無い。また、軸方向の配列は遠心力の大きさにより等配配列や、不等配配列なども考えられる。またブリッジ２１は図７に示すように、遠心力の大きさや磁極間の距離などによりブリッジ２１の中心付近で回転子継鉄にボルト２２などで支持することもできる。
【００３３】
（第５の実施の形態）
図８は本発明の第５の実施の形態を表す回転電機の要部の断面構成図であり、素線５の断面積を増やすために素線５の幅を広くし回転子コイル断面重心１４が磁極鉄心４のチップ部４ａより距離Ｌｏだけ食み出した回転子コイル６において、素線５の断面に互いに係合固定されるような凹凸２３が形成されている。
【００３４】
上述のように回転子コイル断面重心１４が磁極鉄心４のチップ部４ａより距離Ｌｏだけ食み出した回転子コイル６には、自身の発生する膨大な遠心力によりチップ部４ａより外れるように回転モーメントが作用し、素線間の剥離の原因となるが、素線５の断面に形成された凹凸２３が互いに係合しているため素線５間にずれが発生することがなく剥離が防止される。
【００３５】
図９は第５の実施の形態の変形例であり、磁極鉄心４のチップ部４ａに設けられた突起部２４が絶縁カラー１０に設けられた溝２５に係合するように形成されるとともに、素線５の断面に互い固定されるような凹凸２３が形成されている。
【００３６】
しかして、図８と同様に素線断面の凹凸２３が互いに係合するため素線間にずれが発生することがなく剥離が防止される。更に、磁極鉄心４のチップ部４ａに設けられた突起部２４と絶縁カラー１０の溝２５が互いに係合するとともに、その絶縁カラー１０に素線５の凹凸部２３が係合され連結されることにより、互いにずれが発生しないため、遠心力の接線方向分力１３による力の支持も可能となる。よって、これまで必要とされてきた回転子コイルの遠心力の接線方向分力による回転子コイル変形防止用のコイルブラケットも不要となる。溝２５の形状は三角状や、半円状、四角状、台形状なども考えられる。
【００３７】
（第６の実施の形態）
図１０は本発明の第６の実施の形態を表す回転電機の要部の断面構成図であり、素線５の断面積を増やすために素線５の幅を広くし回転子コイル断面重心１４が磁極鉄心４のチップ部４ａより距離Ｌｏだけ食み出した回転子コイル６において、積層された素線５を貫通する複数本の連結棒２６が設けられており、上記連結棒２６により各素線５が互いに連結されている。
【００３８】
しかして、上記素線５を貫通した連結棒２６により素線５がお互いに固定され素線間のずれが発生することがなく、互いの剥離が防止される。
【００３９】
連結棒２６はその遠心力の大きさにより、高強度の絶縁物や、棒鋼の外周をマイカ等の絶縁体でモールドしたもの、また回転子コイルの連結棒挿入穴よりも一回り細い棒鋼を挿入し、穴と棒鋼の間にレジンなどの乾燥すると硬化し硬化強度が高くなるものを挿入することもできる。
【００４０】
（第７の実施の形態）
図１１は本発明の第７の実施の形態を表す回転電機の要部の断面構成図であり、回転子コイル６の素線５の断面積を増やすために素線５の幅を広くし回転子コイル断面重心１４が磁極鉄心４のチップ部４ａより距離Ｌｏだけ食み出した回転子コイル６において、素線５の相互間に突起物２７が挿入されている。上記突起物２７は素線５の相互間に適度な間隔に配置し加圧接着して固定されている。
【００４１】
しかして、素線５の相互間に挿入された突起物２７により素線５が互いかみ合うように固定されるので素線５間にずれが発生することがなく剥離が防止される。突起物２７は絶縁体で強化ガラスや硬質の絶縁物使用し、３ｍｍ程度であればいかなる形状でも問題ない。ただし、素線５の厚さや、遠心力の大きさなどにより突起物２７の配列数を調整する。
【００４２】
（第８の実施の形態）
図１２は本発明の第８の実施の形態を表す回転電機の要部の断面構成図であり、回転子コイル６の素線５の断面積を増やすために素線５の幅を広くし回転子コイル断面重心１４が磁極鉄心４のチップ部４ａより距離Ｌｏだけ食み出した回転子コイル６において、回転子コイル６と回転子継鉄２の間の隙間に軸方向全長または複数個部分的に楔２８が挿入係合されている。
【００４３】
しかして、回転子コイル６と回転子継鉄２との間の隙間を埋めるように楔２８が挿入され、固定子コイル６が固定されるため、楔２８により回転子コイル６に作用する回転モーメントに対する反力が発生し、回転子コイル６を押し戻そうとする反抗トルクが発生する。よって回転子コイル６の変形が防止され回転子コイル６の素線５間の剥離が防止される。
【００４４】
楔２８は、テーパー型の２枚合わせとするが、同時に波形スプリングや、ゴムなどの弾性体を挟み込むことでスプリング効果をもたせることもできる。
【図面の簡単な説明】
【００４５】
【図１】本発明の第１の実施の形態を示す立軸形回転電機の磁極部の断面構成図。
【図２】図１における磁極部の側面図。
【図３】本発明の第２の実施の形態を示す立軸形回転電機の磁極部の断面構成図。
【図４】本発明の第３の実施の形態を示す立軸形回転電機の磁極部の断面構成図。
【図５】図４の変形例を示す図。
【図６】本発明の第４の実施の形態を示す立軸形回転電機の磁極部の断面構成図。
【図７】図６の変形例を示す図。
【図８】本発明の第５の実施の形態を表す立軸形回転電機の磁極部の断面構成図。
【図９】図８の変形例を示す図。
【図１０】本発明の第６の実施の形態を示す立軸形回転電機の磁極部の断面構成図。
【図１１】本発明の第７の実施の形態を示す立軸形回転電機の磁極部の断面構成図。
【図１２】本発明の第８の実施の形態を示す立軸形回転電機の磁極部の断面構成図。
【図１３】従来の立軸形回転電機の回転子の磁極の取付状態を示す図。
【図１４】従来の立軸形回転電機の磁極部の断面構成図。
【符号の説明】
【００４６】
２  回転子継鉄
３  磁極
４  磁極鉄心
４ａ  チップ部
５  素線
６  回転子コイル
７  層間絶縁シート
８  スタッドやボルト
９  対地絶縁
１０  絶縁カラー
１１  回転子コイル遠心力
１２  半径方向分力
１３  接線方向分力
１４  回転子コイル断面重心
１７  幅広チップ部
１８  溝
１９  継鉄側の素線
２０  継鉄側回転子コイルの断面重心
２１  ブリッジ
２３  凹凸
２４  突起部
２５  溝
２６  連結棒
２７  突起物
２８  楔
【図１】
2007159256.tif 000003
【図２】
2007159256.tif 000004
【図３】
2007159256.tif 000005
【図４】
2007159256.tif 000006
【図５】
2007159256.tif 000007
【図６】
2007159256.tif 000008
【図７】
2007159256.tif 000009
【図８】
2007159256.tif 000010
【図９】
2007159256.tif 000011
【図１０】
2007159256.tif 000012
【図１１】
2007159256.tif 000013
【図１２】
2007159256.tif 000014
【図１３】
2007159256.tif 000015
【図１４】
2007159256.tif 000016